(57)【要約】      （修正有）【課題】エンドエフェクタの逆駆動に抵抗するための関節運動継手の自動ロック方式を組み込んだ関節運動制御装置に直接関連している外科用器械の関節運動継手を提供する。【解決手段】内視鏡下用途に特に適した外科用器械は、エンドエフェクタ２０１６を選択された側に旋回させるシャフトの近位部分内に設けられた側方スライド部材を備えることによりエンドエフェクタを関節運動させる。側方スライド部材２００６とシャフトのフレームとの間に案内機構２０１２を設けることにより、差動的に互いに逆向きの作動力（例えば、油圧力、流体力、機械的力）が、側方スライド部材２００６をつかえさせることなく、側方スライド部材２００６に作用する。案内機構２０１２の逆駆動に抵抗することにより関節運動が指令されると、有利には、ロック部材が、自動的にロック解除する。【選択図】図１０
2007038003.tif 000002
【特許請求の範囲】
【請求項１】
外科用器械において、
患者の外部で操作するために構成された近位部分と、
前記近位部分に取り付けられた細長いシャフトと、
エンドエフェクタと、
前記エンドエフェクタを前記細長いシャフトに旋回可能に取り付ける関節運動継手と、
前記エンドエフェクタに取り付けられていて、前記関節運動継手の関節運動軸線周りに近位側へ放射状に広がる弓形ブレーキ面と、
前記近位部分に取り付けられた関節運動制御装置と、
前記細長いシャフトから遠位端部を延長させて前記エンドエフェクタに係合させる関節運動部材であって、前記遠位端部は、前記関節運動制御装置に応答して側方に偏向して関節運動を行う、関節運動部材と、
前記細長いシャフトにより案内されるロックアクチュエータであって、近位側が関節運動制御装置に結合され、遠位側がロック面に選択的に係合するよう位置決めされたロック面で終端する、ロックアクチュエータと、
を有する、外科用器械。
【請求項２】
請求項１記載の外科用器械において、
前記関節運動制御装置は、側方制御装置を含み、該側方制御装置は、前記側方制御装置の運動中、前記ロックアクチュエータを近位側へ押して前記エンドエフェクタとの係合状態から離脱させるよう作動的に構成されている、外科用器械。
【請求項３】
請求項２記載の外科用器械において、
前記ロック部材は、遠位側へ付勢され、係合面は、近位ピンを有し、側方歯車セグメントは、歯付き面を有し、該歯付き面は、作動中、前記ピンを近位側へカム作用で動かし、前記関節運動制御装置が停止したとき、前記近位ピンが前記歯付き面の対応の歯の根元部内に遠位側へ動くことができる、外科用器械。
【請求項４】
請求項２記載の外科用器械において、
前記側方制御装置は、差動流体制御装置を含む、外科用器械。
【請求項５】
請求項１記載の外科用器械において、
前記細長いシャフト内に側方運動をするために拘束されたスライドバーと、
前記関節運動継手内に位置決めされた前記スライドバーの遠位端部と、
前記関節運動部材の前記遠位端部に係合していて、前記スライドバーの側方運動を前記エンドエフェクタの旋回運動に変換する前記エンドエフェクタの近位面と、
を更に有する、外科用器械。
【請求項６】
請求項１記載の外科用器械において、
前記細長いシャフトは、回転運動を前記関節運動継手に伝達して前記エンドエフェクタの旋回関節運動を行わせる関節運動駆動管を更に有し、前記ロックアクチュエータは、前記関節運動駆動管と前記関節運動制御装置との間に介在して設けられた逆駆動ロックアウト機構を有する、外科用器械。
【請求項７】
請求項６記載の外科用器械において、
前記逆駆動ロックアウト機構は、
窓を備えたフレームと、
前記フレームの前記窓によって定位置に側方にロックされ、前記側方歯車ラックに結合されたロックアウト部材と、
前記関節運動制御装置に結合されると共に、前記ロックアウト部材を離脱させたり前記ロックアウト部材を側方に位置決めしたりするよう位置決めされた偏向部材と、
を有する、外科用器械。
【請求項８】
請求項６記載の外科用器械において、
前記関節運動駆動管は、前記スライドバーに平行に整列すると共に前記細長いシャフトの垂直中心線と整列した回転可能なリンクを有し、該回転可能なリンクは、前記スライドバーの近くの表面に旋回可能に結合され、それにより前記回転可能なリンクが回転すると、前記スライドバーの側方運動を生じさせる、外科用器械。
【請求項９】
請求項８記載の外科用器械において、
前記回転可能なリンクは、作動中、前記整列を維持するために、前記スライドバーの長手方向長さに沿って間隔をあけて前記スライドバーに接合された複数の旋回接合部を含む、外科用器械。
【請求項１０】
外科用器械において、
患者の外部で操作するために構成された近位部分と、
前記近位部分に取り付けられた細長いシャフトと、
エンドエフェクタと、
前記エンドエフェクタを前記細長いシャフトに旋回可能に取り付ける関節運動継手と、
近位側へ差し向けられていて、前記関節運動継手の関節運動軸線周りを回転するよう整列した前記エンドエフェクタに取り付けられた歯車セグメントと、
前記細長いシャフト内に側方運動をするために拘束されたスライドバーと、
前記関節運動継手内に位置決めされた前記スライドバーに取り付けられていて、前記エンドエフェクタの前記歯車セグメントと噛み合い状態にある遠位側へ向けられたラックと、
関節運動部材の遠位端部に係合していて、前記スライドバーの側方運動を前記エンドエフェクタの旋回運動に変換する前記エンドエフェクタの近位面と、
前記細長いシャフト内に設けられていて、前記エンドエフェクタの前記歯車セグメントに係合するよう選択的に遠位側および長手方向に並進して関節運動継手をロックするロック部材と、
を有する、外科用器械。
【請求項１１】
外科用器械において、
患者の外部で操作するために構成された近位部分と、
前記近位部分に取り付けられた細長いシャフトと、
エンドエフェクタと、
前記エンドエフェクタを前記細長いシャフトに旋回可能に取り付ける関節運動継手と、
前記細長いシャフト内に側方運動をするために受け入れられたスライドバーであって、該スライドバーは、前記エンドエフェクタを前記関節運動継手回りに旋回させるよう係合した遠位端部、および、前記エンドエフェクタに加わる逆駆動力に応答して前記細長いシャフトにつかえた状態で係合するよう動くロック機構を有する、スライドバーと、
を有する、外科用器械。
【発明の詳細な説明】
【開示の内容】
【０００１】
〔関連出願の参照〕
本願は、２００５年２月１８日にケネス・ウェールズ（Kenneth Wales）およびチャド・ブードロー（Chad Boudreaux）名義で出願された共通所有者の米国特許出願第１１／０６１，９０８号（発明の名称：SURGICAL INSTRUMENT INCORPORATING A FLUID TRANSFER CONTROLLED ARTICULATION MECHANISM）の権益主張出願であり、この米国特許出願の参照によりその開示内容全体を本明細書の一部とする。
【０００２】
〔発明の分野〕
本発明は一般に、内視鏡下でエンドエフェクタ（例えば、体内カッタ、把持器、カッタ、ステープラ、クリップ留め具、接近用器具、薬物／遺伝子治療送達器具および超音波、ＲＦ、レーザ等を利用したエネルギー器具）を手術部位に挿入するのに適した外科用器械、特に、関節運動シャフトを備えた、前記のような外科用器械に関する。
【０００３】
〔発明の背景〕
内視鏡下外科用器械は、切開部が小さいほうが術後回復期間および合併症を減少させる傾向があるので、伝統的な開放式外科用器具よりも好ましい場合が多い。したがって、トロカールのカニューレを通って遠位エンドエフェクタを所望の手術部位に正確に配置するのに適した内視鏡下外科用器械類の大々的な開発が行われた。これら遠位エンドエフェクタは、診断効果または治療効果を達成するのに多くの仕方で組織に係合する（例えば、体内カッタ、把持器、カッタ、ステープラ、クリップ留め具、接近用器具、薬物／遺伝子治療送達器具および超音波、ＲＦ、レーザ等を利用したエネルギー器具）。
【０００４】
エンドエフェクタの位置決めは、トロカールにより制限を受ける。一般に、これら内視鏡下外科用器械は、エンドエフェクタと臨床医により操作される取っ手部分との間に長いシャフトを有する。この長いシャフトにより、所望の深さへの挿入およびシャフトの長手方向軸線周りでの回転が可能になり、それによりエンドエフェクタの或る程度の位置決めが可能になる。トロカールの慎重な配置および例えば別のトロカールを介する把持器の慎重な使用を行うと、その程度の位置決めで十分である場合が多い。例えば米国特許第５，４６５，８９５号明細書に記載されている外科用ステープル留め兼用切断器械は、エンドエフェクタを挿入および回転によって首尾よく位置決めする内視鏡下外科用器械の一例である。
【０００５】
手術の性質に応じて、内視鏡下外科用器械のエンドエフェクタの位置決めを一段と調整することが望ましい場合がある。特に、エンドエフェクタを外科用器械のシャフトの長手方向軸線に対して横方向の軸線に差し向けることが望ましい場合が多い。外科用器械のシャフトに対するエンドエフェクタの横方向運動は従来、「関節運動」と呼ばれている。これは典型的には、ステープル留め組立体のすぐ近位側のシャフト延長部内に設けられた旋回（または関節）継手によって達成される。これにより、外科医は、ステープルラインの良好な外科的配置、および容易な組織操作、および配向のためにステープル留め組立体をいずれかの側に遠隔的に関節運動させることができる。この関節式の位置決めにより、臨床医は、或る場合には例えば臓器の後ろで組織を一層容易に係合することができる。加うるに、関節式位置決めにより、有利に、内視鏡を器械シャフトにより妨げられないで、エンドエフェクタの後ろに位置決めすることができる。
【０００６】
外科用ステープル留め兼用切断器械を関節運動させる手段は、関節運動の制御をエンドエフェクタの閉鎖の制御と共に組み込んで組織をクランプしてエンドエフェクタ（即ち、ステープル留めおよび切断）を内視鏡下器械の小径境界内で発火させるので複雑化の傾向がある。一般に、これら３つの制御運動は全て、長手方向並進運動としてシャフトを介して伝達される。例えば、米国特許第５，６７３，８４０号明細書は、器械シャフトを通って２本の連結ロッドのうちの一方を選択的に引き戻すことにより関節運動するアコーディオン型関節運動機構（「フレックス−ネック」）を開示しており、各ロッドは、それぞれシャフト中心線の互いに反対の側でずれている。連結ロッドは、一連の別々の位置にわたりラチェット運動する。
【０００７】
関節運動機構の長手方向制御装置の別の例が、米国特許第５，８６５，３６１号明細書に記載されており、この長手方向制御装置は、関節運動リンクを有し、この関節運動リンクは、その押しまたは引き長手方向並進が各側への関節運動を行わせるようにカム駆動ピボットからずれている。これと同様に、米国特許第５，７９７，５３７号明細書は、関節運動を行わせるためにシャフトを貫通した同様なロッドを開示している。
【０００８】
米国特許第５，６７３，８４１号明細書では、内視鏡下ステープル留め、切断、クリップ留めおよび把持のためのその時点で公知の関節運動外科用器械に関する或る幾つかの欠陥が知られていた。具体的には、外科用関節運動器械を装填すると、この器械に取り付けられている関節運動ヘッドは、動く傾向がある。この運動は通常、関節運動機構中の部品偏向およびいい加減さ（slop）（またはバックラッシ）の組合せである。器械の遠位先端部に加わる大きな荷重（例えば、組織クランプやステープル発火）は、関節運動装置を介して取っ手の近くの関節運動制御装置に反映され、関節運動制御機構を動かす（または回転させる）ことができる。従来、関節運動継手は、関節運動装置が外科用器械の関節運動ヘッドの位置決めとロックの両方を行う手段として二重の役割を果たす状態で設計されていた。荷重に関する力を加える箇所（器械の先端部）および関節運動装置（関節運動継手の近くに位置する）についての試験の結果、関節運動装置について機械的な欠点のあることが判明している。この欠点は、関節運動装置において公差または隙間の増大として現れ、その結果著しいヘッド運動が生じる。
【０００９】
この認識された欠点に応答して、幾つかのロック機構が提案された。具体的には、ロック機構は、ヘッドをシャフトに対して関節運動させることが望ましい場合を除き、ヘッドを常時関節運動角度にロックする。関節運動装置の作動時、例えば、関節運動バンドを器械の近位端部に向かって引くことにより、ロック機構が解除し、ヘッドをロック解除すると共にその関節運動を可能にする。例えば関節運動バンドに加わる引き力を停止することにより関節運動ステップを中断すると、ロック機構は、再び稼働し、器械のヘッドをその新たな関節運動角度にロックする。別の形態では、各側に設けられた１対の流体ブラダにより、流体の流れが側から側へシフトしてヘッドの旋回を可能にし、ピンチブレードが、流体の流れを阻止して関節運動ピボットを「ロック」する。
【００１０】
関節運動バンドは関節運動と関節運動継手の同時ロック解除を効果的に達成したが、或る特定の用途では、制御装置と関節運動継手との間に直接的なリンク機構を設けることが望ましい場合がある。滑りまたは破損無くバンドの適正な寸法決めを達成することは、困難であるように思われる。関節運動制御装置により与えられる手応えにおける或るいい加減さもまた望ましくない場合がある。
【００１１】
したがって、有利にはエンドエフェクタの逆駆動に抵抗するための関節運動継手の自動ロック方式を組み込んだ関節運動制御装置に直接連結している外科用器械の関節運動継手が大いに必要とされている。
【００１２】
〔発明の概要〕
本発明は、細長いシャフトが関節運動リンク機構に応答して旋回可能に関節運動する外科用器械を提供することにより先行技術の上述の欠点および他の欠点を解決する。この関節運動角度における偶発的な変化および（または）関節運動リンク機構の損傷は、エンドエフェクタの逆加重に抵抗する関節運動継手ロックによって回避される。それにより、関節運動リンク機構は、望ましくは小さな断面を有するのがよい。
【００１３】
本発明の一特徴では、外科用器械は、ユーザがエンドエフェクタを細長いシャフトの関節運動継手周りに旋回させるよう作動させる関節運動制御装置を有する。具体的に言えば、関節運動部材が、細長いシャフトから遠位端部を延長させてエンドエフェクタに係合させ、遠位端部は、関節運動制御装置に応答して側方に偏向して関節運動を行う。この運動と協働して、ロックアクチュエータが関節運動継手から近位側へ引かれ、エンドエフェクタに取り付けられている弓形ブレーキ表面から離脱し、関節運動継手の関節運動軸線周りに近位側へ放射状に広がる。それにより、関節運動制御装置の直接的な制御が、エンドエフェクタを選択された関節運動角度に維持する関節運動ロックにより支援され、この場合、かかる逆加重に抵抗するのに関節運動制御装置のサイズおよび強度を増大させる必要はない。
【００１４】
本発明の別の特徴では、外科用器械は、細長いシャフト内に設けられたスライドバーの側方運動により制御される関節運動継手を有する。エンドエフェクタに取り付けられると共に関節運動継手の関節運動軸線周りに位置合わせされる近位側へ向けられた歯車セグメントが、スライドバーに設けられている遠位側へ向けられたラックと噛み合う。細長いシャフトに設けられたロック部材もまた、長手方向かつ遠位側へ並進して歯車セグメントに係合し、関節運動継手を定位置にロックする。かくして、スライドバーを差動的に動かして関節運動を行わせることにより、例えば種々の形態の原動力により得られる種々の利点が、関節運動ロックによる所望の関節運動角度の維持の保証により実現される。
【００１５】
本発明の更に別の特徴では、外科用器械は、細長いシャフト内に側方運動可能に受け入れられたスライドバーにより制御される関節運動シャフトを有する。スライドバーに取り付けられたロック機構が有利には、エンドエフェクタに加わる逆駆動力に応答して細長いシャフトに係合するよう動かされる。
【００１６】
本発明の上述の目的および利点ならびに他の目的および利点は、添付の図面およびその説明から明らかにされるはずである。
【００１７】
本願に組み込まれてその一部をなす添付の図面は、本発明の実施形態を示しており、上述の本発明の概要説明および後述の実施形態の詳細な説明と一緒になって、本発明の原理を説明するのに役立つ。
【００１８】
〔発明の詳細な説明〕
関節運動シャフトの概要
図面を参照すると（幾つかの図にわたり、同一の符号は同一の部品を示している）、図１は、外科用器械を示しており、この外科用器械は、図示の形態では、本発明の独特の利点をもたらすことができる特に外科用ステープル留め兼用切断器械１０である。特に、外科用ステープル留め兼用切断器械１０は、外科手技を実施するために図１に示すような非関節運動状態でトロカールカニューレ通路を通って患者（図示せず）の体内の手術部位まで挿入可能に寸法決めされている。作業部分１２をいったんカニューレ通路中へ挿入すると、作業部分１２の細長いシャフト１６の遠位部分内に組み込まれた関節運動機構１４を図２に示すように関節運動制御装置１８によって遠隔的に関節運動させることができる。図示の形態では、ステープル留め組立体２０として示されたエンドエフェクタが、関節運動機構１４の遠位側に取り付けられている。かくして、関節運動機構１４を遠隔的に関節運動させることにより、ステープル留め組立体２０は、細長いシャフト１６の長手方向軸線から関節運動する。そのような傾斜位置は、切断およびステープル留めのために所望の角度から組織に接近し、あるいは他の臓器および組織により遮られた組織に接近すると共に（あるいは）配置状態を確認するために内視鏡をステープル留め組立体２０の後ろに位置決めしてこれと整列させることができるという点において有利な場合がある。
【００１９】
取っ手
外科用ステープル留め兼用切断器械１０は、作業部分１２の近位側に連結されていて、位置決め運動、関節運動、閉鎖運動および発火運動をこの作業部分にもたらす取っ手部分２２を有している。取っ手部分２２は、ピストル型握り２４を有し、ステープル留め組立体２０のクランプまたは閉鎖を生じさせるよう臨床医によってクロージャトリガ２６をこの握り２４に向かって旋回可能に、かつ近位側へ引き寄せられる。発火トリガ２８が、クロージャトリガ２６の一段と外側に位置し、この発火トリガは、ステープル留め組立体２０内にクランプされた組織のステープル留めおよび切断を生じさせるよう臨床医によって旋回可能に引かれる。しかる後、クロージャ解除ボタン３０を押してクランプ状態のクロージャトリガ２６を解除し、かくしてクランプされた状態の組織の切断およびステープル留め端部を解除する。取っ手部分２２は回転ノブ３２をさらに有し、この回転ノブ３２は、細長いシャフト１６と一緒に運動できるよう結合されて、シャフト１６および関節運動したステープル留め組立体２０をシャフト１６の長手方向軸線周りに回転させる。取っ手部分２２は、もし万が一つかえが生じた場合発火機構（図１または図２には図示せず）を引き戻すのを助け、ステープル留め組立体２０の開放がその後に生じることができるようにする発火引き戻し取っ手３４を更に有する。
【００２０】
本明細書では、「近位」および「遠位」という用語は、器械の取っ手を掴む臨床医に関して用いられていることは理解されよう。かくして、外科用ステープル留め組立体２０は、より近位の取っ手部分２２に対して遠位側に位置する。便宜上および分かりやすくするために、本明細書で用いる「垂直」および「水平」という空間に関する用語は、図面に関して用いられていることは更に理解されよう。しかしながら、外科用器械は、多くの向きおよび位置で使用され、これら用語は、限定的ではなく絶対的なものでもない。
【００２１】
図１および図２の外科用ステープル留め兼用切断器械１０のための例示のマルチストローク型取っ手部分２２は、スウェーズ（Swayze）およびシェルトン・フォース（Shelton IV）名義の共通所有者の同時係属米国特許出願第１０／６７４，０２６号明細書（発明の名称：SURGICAL STAPLING INSTRUMENT INCORPORATING A MULTISTROKE FIRING POSITION INDICATOR AND RETRACTION MECHANISM）に詳細に記載されており、この取っ手部分は、本明細書において説明するような追加の特徴および変形部分を有し、この米国特許出願を参照により、その開示内容全体を本明細書に組み込む。マルチストローク型取っ手部分２２は有利に長い距離にわたって大きな発火力を備えた用途をサポートするが、本発明と一致した用途は、例えばフレデリック・イー・シェルトン・フォース（Frederick E. Shelton IV）、マイケル・イー・セットサー（Michael  E. Setser）およびブライアン・ジェイ・へメルガーン（Brian J. Hemmelgarn）名義の共通所有者の同時係属米国特許出願第１０／４４１，６３２号明細書（発明の名称：SURGICAL STAPLING INSTRUMENT HAVING SEPARATE DISTINCT CLOSING AND FIRING SYSTEMS）に記載されているシングル発火ストロークを有してもよく、この米国特許出願を参照により、その開示内容全体を本明細書に組み込む。
【００２２】
作業部分（関節運動する細長いシャフトおよびステープル留め組立体）
図１〜図５では、作業部分１２は有利に、内視鏡下および腹腔鏡下手技に適した小径内で長手方向の回転運動、関節運動、閉鎖運動および発火運動の複数の作動運動を含む。ステープル留め組立体２０（「エンドエフェクタ」）は、旋回可能に取り付けられたアンビル４２（図１、図２、図４および図５）を備えた細長いチャネル４０として示されている旋回可能で対向した一対のジョーを有する。アンビル４２を閉鎖して細長いチャネル４０にクランプすることは、フレーム組立体４４（図３）が取っ手部分２２に回転自在に取り付けられた状態で細長いチャネル４０を長手方向に支持することによって達成され、二重旋回クロージャスリーブ組立体４６は、このフレーム組立体４４上で、長手方向に動いて、ステープル留め組立体２０が図２に示すように関節運動していても、それぞれ遠位および近位運動のための閉鎖および開放作用をアンビル４２に与える。
【００２３】
特に図３を参照すると、フレーム組立体４４は、単一のピボットフレームグラウンド４８を有し、このフレームグラウンドの近位端部は、回転ノブ３２に係合し、その右側のシェル半部５０は、図３に示されている。クロージャスリーブ組立体４６、厳密には真っ直ぐなクロージャ管５２の近位端部が、その一端がフレームグラウンド４８の近位端部を包囲し、他端が取っ手部分２２内に延びている状態で、クロージャスリーブ組立体４６を長手方向に並進させるクロージャ部品（図示せず）に係合することは理解されるべきである。真っ直ぐなクロージャ管５２の近位端部のところの円形リップ５４は、このような部品への回転係合部となる。回転ノブ３２の係合部品は、フレームグラウンド４８上に近位側に設けられた孔５８と嵌合するよう真っ直ぐなクロージャ管５２の近位部分に設けられた長手方向スロット５６を通過している。長手方向スロット５６は、クロージャスリーブ組立体４６の回転ノブ３２およびフレームグラウンド４８によって設定された種々の回転角度であってもクロージャスリーブ組立体４６の長手方向閉鎖並進を可能にするのに十分な長さのものである。
【００２４】
細長いシャフト１６は、取っ手部分２２の発火部品（図示せず）に回転自在に係合する発火ロッド６０を受け入れることにより発火運動をサポートする。発火ロッド６０は、フレームグラウンド４８の長手方向中心線に沿って近位開口部６２に入る。フレームグラウンド４８の遠位部分は、その底部に沿って発火バースロット６４を有し、この発火バースロットは、近位開口部６２に通じている。発火バー６６が、発火バースロット６４内で長手方向に並進し、この発火バーは、発火ロッド６０の遠位端７０に係合する上方に突き出た近位ピン６８を有している。
【００２５】
細長いシャフト１６は、矩形リザーバキャビティ７２を有することにより関節運動をサポートし、一側方部分が、回転ノブ３２の遠位部分に示されている。矩形リザーバキャビティ７２内に位置する底部コンパートメント７４が、側方に互いに間隔を置いて位置する左バッフル７６と右バッフル７８を有している。関節運動アクチュエータ８０が、底部コンパートメント７４の頂部上を側方に滑動し、バッフル７６，７８の外側に位置する関節運動アクチュエータの下方側方に間隔を置いて位置する左フランジ８２と右フランジ８４が各々、左および右押しボタン８６，８８に側方に連絡しており、これら押しボタンは、回転ノブ３２のそれぞれのシェル半部から外方に延びている。関節運動アクチュエータ８０の側方運動により、左フランジ８２が左バッフル７６の近くに引き寄せられると共に右フランジ８４が右バッフル７８の遠くに引かれ、流体関節運動システム９４の左リザーバブラダ９０および右リザーバブラダ９２に作用し、各リザーバブラダ９０，９２はそれぞれ、左および右流体導管または通路９６，９８に遠位側に連絡し、これら通路９６，９８はそれぞれ、左作動ブラダ１００および右作動ブラダ１０２に通じている。これら作動ブラダは、関節運動機構１４のＴ−バー１０４に対向し、これを側方に旋回させる。
【００２６】
フレーム組立体４４は、流体通路９６，９８および作動ブラダ１００，１０２が設けられたフレームグラウンド４８の頂部かつ遠位側の凹みテーブル１０６を有することにより、これら流体作動を束縛する。Ｔ−バー１０４はまた、作動ブラダ１００，１０２相互間で凹みテーブル１０６上に滑動自在に位置する。Ｔ−バー１０４の近位側で隆起したバリヤリブ１０８がこれに整列し、流体通路９６，９８の内方拡張を阻止するのに役立つ。フレーム組立体４４は、丸形の頂部フレームカバー（スペーサ）１１０を有し、このフレームカバーは、フレームグラウンド４８の頂部上を滑動し、流体通路９６，９８および作動ブラダ１００，１０２の垂直方向拡張を阻止すると共にＴ−バー１０４の垂直運動を束縛する。特に、フレームカバー１１０は、これが関節運動ロック機構１１３の一部として以下に詳細に説明する関節運動ロック部材１１１を提供することができるようにする特徴を備えている。
【００２７】
Ｔ−バー１０４の遠位端（「ラック」）１１２が、関節運動機構１４の関節遠位フレーム部材１１４の近位側に差し向けられた歯車セグメント１１５を旋回させるよう係合する。関節クロージャ管１１６が、関節遠位フレーム部材１１４を包囲し、この関節クロージャ管は、アンビル４２に係合する蹄鉄形孔１１８を有している。真っ直ぐなクロージャ管５２と関節運動機構１４上の関節運動クロージャリング１１６との間に二重旋回取付け部が形成され、これにより、関節運動機構１４を関節運動させたときでも長手方向閉鎖運動が可能になる。特に、真っ直ぐなクロージャ管５２に設けられていて、ピン穴１２２，１２４をそれぞれ備え、頂部および底部の遠位側へ突き出たピボットタブ１１８，１２０が、関節運動クロージャリング１１６に設けられていて、ピン穴１３０，１３２をそれぞれ備え、対応の頂部および底部の近位側に突き出たピボットタブ１２６，１２８から長手方向に間隔を置いて位置している。上側二重ピボットリンク１３４が、ピン穴１３０，１２２にそれぞれ係合する、長手方向に間隔を置いて上方に差し向けられた遠位ピン１３６および後部ピン１３８を有し、下側二重ピボットリンク１４０が、ピン穴１３２，１２４にそれぞれ係合する、長手方向に間隔を置いた下方に突き出ている遠位ピン１４２および後部ピン１４４を有している。フレームグラウンド４８を貫通して遠位側に位置決めされた垂直ピン穴１６９が、遠位フレーム部材１１４の裏面内で旋回するフレームピボットピン１７１を受け入れている。
【００２８】
特に図４を参照すると、近位側に突き出たピボットタブ１２６，１２８を有する関節運動取付けカラー１４８に取り付けられた短い管１４６を有するよう製造性を高めるための関節運動クロージャリング１１６が示されている。これと同様に、真っ直ぐなクロージャ管５２は、遠位側に突き出たピボットタブ１１９，１２０を有する後部取付けカラー１５２に取り付けられた長いクロージャ管１５０から組み立てられる。短いクロージャ管１４６の蹄鉄形孔１１８は、細長いチャネル４０の内部のピボット凹部１５８に係合する側方ピボットピン１５６に対して僅かに近位側で上方に突き出たアンビル特徴部１５４に係合する。
【００２９】
図４の変形例は、フレームピボットピン１７１に代えてドッグボーン形リンク１６０を有し、このドッグボーン形リンクの近位ピン１５７は、フレーム穴１６１内でフレームグラウンド４８に旋回可能に取り付けられ、このドッグボーン形リンクの遠位ピン１５９は、関節運動遠位フレーム部材１１４の近位下面１６２にしっかりと取り付けられ、それによりこれらの間に旋回支持体を構成している。ドッグボーン形リンク１６０に設けられた底部長手方向ナイフスロット１６３が、発火バー６６の関節運動部分を誘導する。関節運動遠位フレーム部材１１４は、発火バー６６の遠位部分を誘導する底部長手方向スロット１６４を更に有している。
【００３０】
ステープル留め装置（エンドエフェクタ）
図４および図５を参照すると、発火バー６６は、Ｅ−ビーム１６５の遠位側で終端しており、このＥ−ビームは、アンビル４２に設けられたアンビルスロット１６８に入ってアンビル４２を確認してこれをステープル配列および切断中、閉鎖状態に維持するのを助ける上側案内ピン１６６を有している。中間ピン１７０を細長いチャネル４０の頂面に沿って滑動させる一方で、底部足部１７２が細長いチャネル４０に設けられた長手方向開口部１７４によって案内された状態で細長いチャネル４０の下面に沿ってこれに対向して滑動することにより、細長いチャネル４０とアンビル４２との間の間隔はＥ−ビーム１６５によって更に維持される。上側案内ピン１６６と中間ピン１７０との間に位置するＥ−ビーム１６５の遠位側に設けられた切断面１７６は、クランプされた状態の組織を切断し、他方、Ｅ−ビーム１６５は、くさび形そり１８０を遠位側に移動させ、それによりステープルドライバ１８２が、上方に駆動するステープル１８４をカム駆動してこれをステープルカートリッジ本体１８８に設けられている上方に開口したステープル穴１８６から出してアンビル４２のステープル配列下面１９０に押し付けて配列することにより交換可能なステープルカートリッジ１７８を作動させる。ステープルカートリッジトレイ１９２が、ステープルカートリッジ１７８の他の部品を底部から包囲してこれらを定位置に保持する。ステープルカートリッジトレイ１９２は、細長いチャネル４０の長手方向開口部１７４の上に位置する後方に開口したスロット１９４を有し、かくして、中間ピン１７０が、ステープルカートリッジトレイ１９２の内部を通る。
【００３１】
ステープル留め組立体２０は、２００４年９月３０日にフレデリック・イー・シェルトン・フォース（Frederick E. Shelton IV）等により出願された共通所有者の同時係属米国特許出願第１０／９５５，０４２号明細書（発明の名称：ARTICULATING SURGICAL STAPLING INSTRUMENT INCORPORATING A TWO-PIECE E-BEAM FIRING MECHANISM）に詳細に記載されており、この米国特許出願を参照により、その開示内容全体を本明細書に組み込む。
【００３２】
関節運動ロック機構
図３、図４および図６〜図８では、関節運動ロック機構２００が、有利に、ステープル留め組立体２０を所望の関節角度に維持するよう組み込まれている。関節運動ロック機構２００は、左側作動ブラダ１００および右側作動ブラダ１０２に加わる逆駆動荷重を減少させる。特に、圧縮ばね２０２（図３）が、関節運動ロック部材１１１の近位端２０４と取っ手部分２２との間に近位側に位置決めされていて、関節運動ロック部材１１１を遠位側に付勢している。特に図４を参照すると、関節運動ロック部材１１１の遠位端２１０のところに設けられた２つの平行なスロット２０６，２０８が、フレームグラウンド４８に設けられた上方に突き出ている案内リブ２１２，２１４をそれぞれ受け入れる。案内リブ２１２，２１４は、平行なスロット２０６，２０８よりも長手方向に短く、或る範囲の相対的な長手方向移動を可能にしている。それにより、特に図８を参照すると、関節運動ロック部材１１１から遠位側に突き出た歯付き凹部２１６として示されている遠位摩擦面の選択的な当接係合は、関節運動フレーム部材１１４の頂部近位凹部２２０（図４）内に受け入れられたブレーキ板２１８に設けられている対応のロック歯車セグメント２１７に係合している。ブレーキ板２１８に設けられた遠位穴２２１および近位穴２２２は、頂部近位凹部２２０から上方に突き出た遠位ピン２２３および近位ピン２２４を受け入れる。
【００３３】
特に図６を参照すると、細長いシャフト１６は、クロージャスリーブ組立体４６がフレーム組立体４４の周りから取り外され、細長いチャネル４０およびアンビル４２の無い関節運動位置で示されている。関節運動アクチュエータ８０は、左側に側方に動かされて右近位リザーバブラダ９２を圧縮し、遠位右側作動ブラダ１０２を拡張させてＴ−バー１０４を図示の位置に移動させた状態で示されている。かくして、関節運動アクチュエータ８０の側方運動は、上から見て遠位フレーム１１４を単一のピボットフレームグラウンド４８を中心として時計回りに関節運動させる。また、関節運動アクチュエータ８０は有利には、関節運動ロック機構２００を自動的に稼働させたりこれを解除したりする。特に、関節運動アクチュエータ８０の近位頂面に沿って設けられた歯付き戻り止め面２２５が、関節運動ロック部材１１１の近位端２０４（図６には示さず）から、下方に突き出たロックピン２２６を受け入れる。ロックピン２２６と歯付き戻り止め面２２５の根元部との嵌合により、ロック歯車セグメント２１７をブレーキ板２１８内にロック係合させるのに十分な関節運動ロック部材１１１の遠位側運動が得られる。オペレータによる関節運動部材８０の側方運動により、ロックピン２２６が近位側に押圧され、かくして関節運動ロック部材１１１がブレーキ板２１８から外れる。オペレータが関節運動アクチュエータ８０を解除すると、ロックピン２２６は、圧縮ばね２０２によって戻り止め面２２５の隣接の戻り止め内に押圧されてロック機構１１１およびかくしてステープル留め組立体２０がロックされ、近位左および右リザーバブラダ９０，９２のインフレートされた形状を束縛すると共に拡張させることにより関節運動機構１４が所望の関節位置に拘束される。
【００３４】
代替的にまたは追加的に、遠位作動ブラダ１００，１０２と近位リザーバブラダ９０，９２との間の流量を制御するためのオリフィスを互いに平行な流体導管９６，９８内に設けてもよい。
【００３５】
図１０では、外科用器械２００４の関節運動機構２００２の別のロック機構２０００は、常態ではロック解除されており、後方加重（back loading）に起因して側方運動Ｔ−バー２００６を起動することにより作動される。Ｔ−バー２００６から下方に延びるリブ２０１２を受け入れてこれを案内するスロット２００８が、フレームグラウンド２０１０に設けられている。リブ２０１２に直角に取り付けられた細長い長手方向部分２０１４が、エンドエフェクタ２０１６に後方加重した場合には撓む。例えば、エンドエフェクタ２０１６を矢印２０１８で示すように右側に押しやると、例えば、その近位歯車セグメント２０２０が、Ｔ−バー２００６のラック２０２２に作用して矢印２０２４で示すように非直交後方駆動力を与える。かくして、細長い長手方向部分２０１４は撓み、長手スロット２００８内のリブ２０１２を起動する。この起動により、矢印２０２６，２０２８で示すように互いに逆向きの拘束力が生じ、これら拘束力は、Ｔ−バー２００６をロックし、それ以上の関節運動を阻止する。ロック解除は、関節運動ブラダの作動により側方に運動するＴ−バー２００６の起動が解除されたときに生じる。しかる後、リブ２０１２は、Ｔ−バー２００６を案内するのを助けることができる。
【００３６】
図１１では、外科用器械２１０２用の更に別の関節運動ロック機構２１００が示されており、この関節運動ロック機構は常態では、ロック解除されており、エンドエフェクタ２１０６の歯車の歯２１０４およびＴ−バー２１１０のラックの歯２１０８から見て２０°の圧力角からの近位側への力ベクトルによって作動される。エンドエフェクタ２１０６に後方加重すると、非直交矢印２１１２によって示されているように、矢印２１１４として示された圧力角の長手方向ベクトルが、Ｔ−バー２１１０を近位側へ動かす。この長手方向力ベクトルは、Ｔ−バー２１１０のラック２１２０の後ろに設けられた剛性ばね２１１８に加えられる。Ｔ−バー２１１０が近位側へ動いたときにばね２１１８が撓むと、ラック２１２０から近位側へ突き出たロック歯２１２６は、遠位側へ突き出たロック要素２１２２に係合し、フレームグラウンド２１２４上で側方に整列する。ロック歯２１２６とロック要素２１２２は、エンドエフェクタ２１０６の後方加重を除き、Ｔ−バー２１１０がばね２１１８からの押圧を受けないで遠位側へ動くことができるようにすることにより近位側への力ベクトル２０１４を減少させまたは無くすと、離脱する。
【００３７】
二重ピボットクロージャスリーブおよび単一ピボットフレームグラウンドの組合せ
図３、図４および図７を参照すると、作業部分１２は有利に、単一ピボットフレームグラウンド４８上に長手方向に並進してこれを包囲する二重ピボットクロージャスリーブ組立体４６を有する。これら機構およびこれらの作用について以下に詳細に説明する。特に図７を参照すると、関節運動機構１４は、クロージャスリーブ組立体４６がアンビル開放状態に向かって近位側に引っ込められた状態の関節運動状態で示されている。アンビル４２が開放した状態で（図７には示さず）、関節運動制御装置１８を作動させると、関節クロージャリング１１６が、上側および下側二重ピボットクロージャリンク１３４，１４０のそれぞれの上方に差し向けられた遠位ピン１３６および下方に差し向けられた遠位ピン１４２（図７には示さず）回りに旋回する。フレームグラウンド４８は、フレームグラウンド４８を遠位フレーム部材１１４に接合するフレームピボットピン１７１（図３）として示された単一のピン回りに旋回する。アンビル４２が開放した状態では（図７には示さず）、フレームグラウンド４８のフレームピボットピン１７１は、クロージャスリーブ組立体４６の上側および下側二重ピボットリンク１３４，１４０の最も遠位側の位置と整列する。この位置決めにより、アンビル４２が開いた状態で、ステープル留め組立体２０の容易な旋回および回転が可能である。クロージャスリーブ組立体４６を遠位側へ移動させてアンビル４２を旋回させてこれを閉鎖すると、真っ直ぐなクロージャ管５２は、フレームグラウンド４８周辺で遠位側に動き、関節クロージャリング１１６は、ピボットリンク１３４，１４０により押圧されると、関節遠位フレーム部材１１４の軸線に沿って遠位側へ動く。リンク１３４，１４０のそれぞれの二重旋回ピン１３６，１３８および１４２，１４４は、器具を関節運動させたときに（図示せず）これらが遠位閉鎖位置に向かって押圧されると、真っ直ぐなクロージャ管５２および関節クロージャリング１１６との係合を容易にする。遠位閉鎖位置では、フレームピボットピン１７１は、完全関節運動時に近位ピボットピン１３８，１４４と垂直方向に整列しまたは効果的に働いている状態で遠位ピン１３６，１４２と近位ピン１３８，１４４との間の任意の箇所に位置することができる。
【００３８】
中実発火バー支持体
図８では、図７の関節運動機構１４は、部分的に分解され、下から見た状態で示され、従来型可撓性支持板と比べて利点をもたらす、図４の中実壁発火バー支持体設計（ドッグボーン形リンク１６０）を示している。支持板は、隙間を橋渡しし、単一フレームグラウンドピボット関節運動継手１８０１中を、発火バー６６を支持した状態で案内するために用いられる。可撓性発火バーは、公知であるが、例えば図４、図８および図９に示す中実壁発火バーを設けると、独特な利点が得られる。次に図８を参照すると、フレームグラウンド４８は、フレームグランド４８の底部に沿って延びるフレームナイフスロット１８０２を有し、遠位ナイフスロット１６４が、発火バー６６（図示せず）を滑動自在に受け入れるために関節運動遠位フレーム部材１１４の底部に沿って延びている。フレームグラウンド４８は、上述してあり、このフレームグラウンド４８は、フレームピボットピン１７１のところに遠位フレーム部材１１４との直接的な単一旋回連結部を有する。近位ピン１５７の端部に回転自在に連結され、遠位ピン１５９の端部に可動的に連結された固定壁ドッグボーン形リンク１６０は、左側方ガイド１８１８および右側方ガイド１８２０を有し、これらガイド相互間には、発火バー６６（図４）の滑動通過用の案内スロット１８２２が形成されている。
【００３９】
かくして、フレームグラウンド４８と遠位フレーム部材１１４との間の隙間を橋渡しするため、固定壁旋回ドッグボーン形リンク１６０は、フレームグラウンド４８に旋回可能に取り付けられると共にフレーム部材１１４に滑動自在に取り付けられている。旋回ドッグボーン形リンク１６０の近位ピン１５７は、フレームグラウンド４８に設けられたボア１８２４内に旋回転可能に受け入れられ、それにより旋回ドッグボーン形リンク１６０がポケット１８２４回りに旋回することができる。遠位ピン１５９が、旋回ドッグボーン形リンク１６０から上方に延び、この遠位ピンは、遠位フレーム部材１１４に設けられたスロット１８２６内に滑動自在に受け入れられている。ステープル留め組立体２０を長手方向軸線から例えば４５°の角度まで関節運動させると、旋回ドッグボーン形リンク１１６がボア１８２４内でその近位ピン１５７のところで旋回し、遠位ピン１５９は、遠位フレーム部材１１４に形成されたスロット１８２６内へ滑動して発火バー６６を２つの互いに間隔を置いた角度に曲げ、これら角度は、ステープル留め組立体２０の角度の半分である。発火バー６６を４５°の角度に曲げる上述の可撓性支持板とは異なり、固定壁旋回ドッグボーン形リンク１６０は、発火バー６６をそれぞれ例えば２２．５°の２つの互いに間隔を置いた角度に曲げる。１つまたは複数の可撓性発火バー６６を曲げて角度を半分にすることにより、発火バー６６中の曲げ応力が従来型関節運動支持体で見受けられる曲げ応力の半分まで減少する。発火バー６６中の曲げ応力を減少させることにより、発火バーを永続的に曲げまたは発火バー中に残留歪を生じさせる恐れが低くなり、発火のつかえの恐れが低くなり、下方発火バー引っ込み力が確保されると共に発火システムのスムーズな動作が得られる。
【００４０】
図９では、外科用器械１９００が、二重クロージャピボットを有している。単一フレームピボット関節運動継手１９０２は、図８の下側二重ピボットリンク１４０およびドッグボーン形リンク１８１２に取って代わる別の中実壁支持板機構１９０４を示している。左発火バー支持体１９０６および右発火バー支持体１９０８が、クロージャスリーブ組立体１９１２の下側二重ピボットリンク１９１０から上方に延びている。クロージャスリーブ組立体１９１２が遠位側へ動いてアンビル４２（図９には図示せず）を閉鎖し、近位側へ動いてアンビル４２を開放するとき、発火バー支持体１９０６，１９０８が移動するようにするための隙間１９１４が、フレームグラウンド１９１６に設けられている。上述の旋回ドッグボーン形リンク１６０と同様、この別の下側二重旋回リンク１９１０もまた、発火バー６６（図９には示さず）を支持した状態でこれを曲げて最高ステープル留め組立体２０の曲げ角度の最大半分までである２つの互いに間隔を置いた曲げ角度を作る。
【００４１】
側方部材案内機構
さらに図９を参照すると、フレームグラウンド１９１６に設けられた左および右上向きフランジ１９１８，１９２０が、Ｔ−バー１９２６に設けられた穴１９２３，１９２４を側方に通過して関節運動機構１９２８のつかえを最小限に抑えるのを助ける遠位および近位側方ピンガイド１９２１，１９２２，１９２３，１９２４を有している。これらのピンガイド１９２１，１９２２はまた、図７のフレームグラウンド４８に組み込まれている。別の例として、図７において、Ｔ−バー１０４は有利に、鳩尾型側方ガイド１９３０を有し、この側方ガイドは、フレームグラウンド４８に形成された鳩尾型チャネル１９３２内で側方に滑動する。さらに別の例として、図１２において、フレームグラウンド１９３６に設けられた隆起リブ１９３４が、Ｔ−バー１９４０に形成された矩形スロット１９３８内に受け入れられている。つかえを生じない側方並進を一段と容易にするため、遠位および近位側方支承軌道１９４２，１９４４は各々、それぞれ複数の玉軸受１９４６，１９４８を有している。さらに別の例として、図１３において、複数個のフレーム側方溝１９５０〜１９５４が、フレームグラウンド１９５６に形成され、これに対応したＴ−バー側方溝１９５８〜１９６２がＴ−バー１９６４に設けられている。滑動ローラ１９６６〜１９７０が、それぞれ対をなす側方溝１９５０／１９５８，１９５２／１９６０，１９５４／１９６２内に捕捉された状態で位置している。これらは、Ｔ−バー１９６４の望ましくない起動または回転を阻止する側方案内部材の全てではない。
【００４２】
二重旋回フレームグラウンドと単一旋回クロージャの組合せ
図１４および図１５では、別のフレームグラウンドおよび閉鎖機構２２００が、二重旋回フレーム組立体２２０４を有する外科用器械２２０２に組み込まれている。特に、フレームグラウンド２２０６は、二重旋回フレームドッグボーン２２１０により遠位フレーム部材２２０８に連結され、この二重旋回フレームドッグボーンは、フレームグラウンド２２０６に設けられた近位ボア２２１４に旋回可能に係合する近位ピボットピン２２１２および遠位フレーム部材２２０８の遠位ボア２２１８に係合する遠位ピボットピン２２１６を有する。発火バー６６（図１４および図１５には図示せず）を収納状態で案内する案内スロット２２２０が、ドッグボーン２２１０の下面に設けられている。ナイフスロット２２２２が、遠位フレーム部材２２０８に設けられている。図示のように、クロージャスリーブ組立体２２２４のクロージャリング２２３０を４５°の角度まで関節運動させることにより、遠位フレーム部材２２０８が４５°の角度まで関節運動すると共にフレームドッグボーン２２１０がその角度の半分まで関節運動する。その結果、発火バー６６は、互いに間隔を置いた２つの浅い半分の曲げを受け、上述した利点の全てを有する。
【００４３】
最も外側のクロージャスリーブ組立体２２２４は、フレーム組立体２２０４の二重旋回設計の唯一の旋回軸線がその長手方向閉鎖運動に対応する点において異なっている。図示のように、クロージャ管シャフト２２２６は、遠位端にクレビス（Ｕ字形リンク）２２２８を有している。クレビス２２２８は、クロージャリング２２３０に旋回可能に係合している。クロージャリング２２３０は、遠位端のところに形成された近位歯車２２３２を有する。ピン２２３４が、近位歯車２２３２を貫通してクレビス２２２８の上方タング（突起部）２２３６に旋回可能に係合している。下側アーム２２３８が、整列状態のピン２２４１によってクレビス２２２８の下側タング２２４０に旋回可能に係合している。クレビス２２２８に設けられた穴２２４２が、側方案内ピン２２４３を受け入れ、これら穴は、これらの中のＴ−バー２２４４に滑動自在に取り付けられてクロージャリング２２３０の近位歯車２２３２に係合している。かくして、この変形例としての機構２２００は、上述した機構とは逆の別の技術的思想としての単一／二重ピボットを用いている。即ち、単一旋回フレームグラウンドを備えた上述の二重旋回クロージャ機構とは異なり、この変形例としての閉鎖機構２２００は、単一のピボットを有し、変形例としてのフレームグラウンドは、二重ピボットを有している。
【００４４】
側方運動関節運動機構
図１６〜図１９では、側方運動が用いられてエンドエフェクタ２３２の関節運動を行わせている状態を示すよう側方運動関節運動機構２３０が概略的に示されている。側方運動は、外科用器具２３４の長手方向軸線に向かうまたはこれから遠ざかる少なくとも１つの要素の運動である。この運動は一般に、機構２３０を２等分する水平線である長手方向軸線に対して直角であり、回転運動または長手方向運動を含まない。側方運動関節運動機構は、図１６〜図１９に示すように流体の作用で作動されるものであってもよく、あるいは、図２０〜図２３に示すように機械的に作動されるものであってもよい。
【００４５】
側方運動流体関節運動機構
側方運動関節運動機構２３０は、図１６〜図１９に概略的に示されており、この関節運動機構は、流体制御システム２３５を有し、この流体制御システムは、この中で長手方向に延びる流体で満たされた互いに平行な左流体ブラダ２３６および右流体ブラダ２３８を有し、これら流体ブラダは、流体２４２の運動により側方部材またはＴ−バー２４０を側方に移動させる。全ての方向は、長手方向軸線を基準としている。図１６および図１７の非関節運動図を参照すると、遠位側に設けられたエンドエフェクタ２３２は、ピン２４４を中心として旋回し、このエンドエフェクタは、近位端に歯車セグメント２４６を有している。ピボットピン２４４が、フレーム（図示せず）に取り付けられている。Ｔ−バー２４０の遠位端のところに設けられたラック２４８が、歯車セグメント２４６に作動可能に係合する。Ｔ−バー２４０およびラック２４８は、軸線Ａ−Ａに沿って側方に動くことができる。長い左および右流体ブラダ２３６，２３８のそれぞれの遠位部分は、側方に動くことができるＴ−バー２４０の側方に位置し、この遠位部分は、クロージャスリーブ２５０内に側方に拘束されると共にフレーム２５２によって垂直方向下方に拘束されると共にスペーサ２５４によって垂直方向上方に拘束される。具体的に説明すると、左側作動流体ブラダ２３６は、左側遠位作動ブラダ２５６、左側流体通路２５８および左側近位リザーバブラダ２６０を有している。右側流体ブラダ２３８は、右側遠位作動ブラダ２６２、右側流体通路２６４および右側近位リザーバブラダ２６６を有している。固定仕切り２７０がフレーム２５２から延出し、ブラダ２６０，２６６と流体通路２５８，２６４を分離している。固定仕切り２７０およびクロージャスリーブ２５０は、流体通路２５８，２６４を拘束し、ブラダ２３６，２３８の流体通路部分２５８，２６４の拡張を阻止する。近位リザーバブラダ２６０，２６６のうちの一方の圧縮およびエンドエフェクタ２３２の関節運動のための側方に動くことができる“Ｃ”字形圧縮部材２７２が、関節運動制御機構２７３に設けられている。加うるに、他の部品、例えばフレーム２５２に設けられた発火バースロット２７６を貫通した発火バー２７４を設けてもよい（図１７および図１９）。
【００４６】
図８〜図１９に示すように、Ｃ字形圧縮部材２７２を左側に側方運動させると、右側近位リザーバブラダ２６６が圧縮されて、流体２４２が右側流体通路２６４および右側遠位作動ブラダ２６２内に送り込まれる。右側遠位作動ブラダ２６２がＴ−バー２４０を左側に側方に移動させると、左側遠位作動ブラダ２５６が圧縮され、エンドエフェクタ２３２が右側に関節運動される（図示のように上から見て時計回り）。左側遠位作動ブラダ２５６の圧縮により、流体２４２は、左側固定流体通路２５８を通って近位側に流れて左側近位リザーバブラダ２６０内に流入する。特に、Ｃ字形圧縮部材２７２の取付け状態の右側壁２８０は、左側に動き、それにより右側近位リザーバブラダ２６６を圧縮させる。Ｃ字形圧縮部材２７２の取付け状態の左側壁２７８の対応した左側への運動により、流体が拡張中の左側近位リザーバブラダ２６０内に流入すると、圧縮状態の左側アクチュエータブラダ２５６からの流体のための空間が生じる。
【００４７】
関節運動機構２３０のためのこの流体制御システム２３５は、少なくとも幾つかの利点をもたらす。第１に、関節運動継手または機構２３０に対して近位側への作動ブラダ２５６，２６２の配向により、外科用器械２３４内で長いブラダ２３６，２３８および長いＴ−バー２４０を用いることができる。流体駆動式システムとして、流体制御システム２３５の出力としての力の増大は、２つの方法で達成できる。第１に、Ｔ−バー２４０上の流体面積が一定であるとすると、この一定面積に加わる流体圧力を増大することができる。第２に、流体圧力が一定であるとすると、Ｔ−バー２４０上の流体接触面積を増大することができる。第１の方法の結果として、コンパクトな設計およびより高い系統圧力が得られる。第２の方法の結果として、より大きな設計およびより低い系統圧力が得られる。コストを減少させ、設計を単純化し、系統応力を減少させ、ブラダの破裂の恐れを減少させるため、図示の形態は、外科用器械２３４の細長いシャフト内の関節運動機構２３０に対して近位側の有利な位置にある、長い遠位作動ブラダ２５６，２６２を示している。ブラダ２５６，２６２を長くすることができると共に関節運動出力を入力圧力が低い場合に高くすることができるのは、ブラダ２５６，２６２のこの配設状態である。
【００４８】
かくして、Ｔ−バー２４０上の遠位作動ブラダ（バルーン）２５６，２６２の圧力接触面積を単に増大させることにより、関節運動機構２３０の出力としての力を増大させることができる（入力圧力が同一の場合）。圧力接触面積の増大は、高さおよび長さに制限される。従来型内視鏡下外科用器械の直径は通気ポートを通過するよう或る特定の直径に固定されているので、これにより、高さの変化が制限される。圧力接触領域の長さの変更は、最も大きな効果をもたらし、これにより、器具の側方出力を、システムが必要とするのがどのような出力であっても、これに適合するよう（長さを変化させることにより）有利に調整することができる。
【００４９】
側方運動器具内で用いられる流体は、圧縮性であってもよく、非圧縮性であってもよい。本明細書で用いる「流体」という用語は、液体、気体、ゲル、微粒子および圧力勾配相互間で流動することができる任意他の材料を含む。任意の流体を用いることができるが、滅菌溶液、例えば塩水、鉱物油またはシリコーンが特に好ましい。
【００５０】
側方運動機械式関節運動機構
側方運動および関節運動を生じさせる流体機構を上述したが、機械的機構は、流体ブラダ２３６，２３８により得られるのとほぼ同じ側方運動を達成することができる。図２０および図２１では、変形例としての側方運動関節運動機構３００が、外科用器械３０１のための側方運動および関節運動を生じさせる機械的制御システム、特に長手方向に運動する部材を用いている。図示の形態では、特に図２０を参照すると、側方運動スライドバー３０２が、細長い長手方向シャフト３０８の互いに反対側の側部でこのスライドバーから側方に延びる少なくとも１対の傾斜した左側カム面３０４と右側カム面３０６を有している。図示の形態では、別の１対の近位左側および右側傾斜カム面３１０，３１２もまた設けられている。右側長手方向運動リンク３１４は、これに対応した内方に差し向けられている遠位および近位傾斜カウンタ面３１６，３１８を有し、これらカウンタ面は、遠位および近位右側カム面３０６，３１２と位置が合ってこれに滑動自在に係合して、運動リンク３１４の遠位側への長手方向運動がスライドバー３０２の左向き側方運動を引き起こすようになっている。理解されるべきこととして、この傾斜接触状態を逆にして遠位側への運動が右向きの運動を引き起こすようにしてもよい。
【００５１】
スライドバー３０２を右に押圧してこれを右側長手方向運動リンク３１４に係合させて右側長手方向運動リンク３１４の逆の近位側への運動がスライドバー３０２の左向き運動を可能にするように、ばね付勢手段（図示せず）をスライドバー３０２に設けてもよいことは理解されるべきである。変形例として、図示の形態では、左側長手方向運動リンク３２０が、これに対応した内方に差し向けられている遠位および近位傾斜カウンタ面３２２，３２４を有し、これら傾斜カウンタ面は、遠位および近位右側カム面３０４，３１０と位置が合ってこれらに滑動自在に係合し、これらカム面３０４，３１０は、遠位側へ傾斜し、カウンタ面３２２，３２４は、近位側へ傾斜していて、左側長手方向運動リンク３２０の遠位側への長手方向運動がスライドバー３０２の右向き側方運動を引き起こすようになっている。理解されるべきこととして、この傾斜接触状態を逆にして近位側への運動が左向きの運動を引き起こすようにしてもよい。理解されるべきこととして、右側および左側長手方向運動リンク３１４，３２０およびスライドバー３０２が、細長いシャフト３０８内に支持され、この細長いシャフト３０８が、リンク３１４，３２０の長手方向運動およびスライドバーの側方運動を可能にする。
【００５２】
ソケットボール３２８として示されているスライドバー３０２の遠位端部は、エンドエフェクタ３３４のピボットピン３３２の近位側に整列したＶ字形カム溝３３０内に受け入れられている。かくして、図２１において、右側長手方向運動リンク３１４の近位側への運動および左側長手方向運動リンク３２０の遠位側への運動は、スライドバー３０２の右向きの運動を引き起こし、これに対応してソケットボール３２８の右向きの運動が生じる。かくして、Ｖ字形カム溝３３０は、右向きに駆動され、その最も遠位側の端部３３６が左側に旋回する。変形例として、スライドバー３０２の側方運動を図１６〜図１９を参照して上述したラックと歯車の係合によりエンドエフェクタ３３４の関節運動に変換できる。かくして、長手方向運動を利用する機械的システムを用いると、外科用器械３０１に側方関節運動を与えることができる。
【００５３】
回転可能なリンク
図２２および図２３において、更に変形例としての関節運動機構４００が、外科用器械４０６の関節運動を生じさせるよう側方運動スライドバー４０４として示された、側方部材を移動させる回転可能なリンク４０２を用いている。側方運動スライドバー４０４は、エンドエフェクタ（図示せず）の近位端のところで図１６および図２０に関して上述した回転歯車またはカム作用溝と作動可能に係合することができる。回転可能なリンク４０２を少なくとも一方のアーム４０８が長手方向軸線に対して回転自在に横方向にこのリンクから延びてスライドバー４０４内のソケット４１０に嵌まり込んだ状態でスライドバー４０４の下に配置してもよい。スライドバー４０４は、頂部スペーサ４１２と底部フレーム４１４との間で垂直方向に拘束され、底部フレームは、回転可能なリンク４０２を受け入れてアーム４０８の回転を許容する長手方向トラフ４１６を有している。スペーサ４１２およびフレーム４１４は、管状スリーブ４１８によって包囲されている。回転リンク４０２を回転させることにより、アーム４０８は、弧を描いて動き、それにより、スライドバー４０４が回転方向に動いて側方に移動する。
【００５４】
側方−回転一方向制御アクチュエータ
図２４〜図２７では、回転可能なリンク４０２の逆駆動に抵抗する自動ロック特徴部を提供することが望ましい。この目的のために、回転可能リンク４０２は、共通所有者の同時係属米国特許出願第１０／６１５，９７２号明細書（発明の名称：SURGICAL INSTRUMENT  WITH A LATERAL-MOVING ARTICULATION CONTROL）において種々の関節運動継手と併用されるものとして説明された側方関節運動制御装置５００に結合されている。なお、この米国特許の参照により、その開示内容全体を本明細書の一部とする。側方関節運動制御装置５００は、図１〜図６を参照して説明したのとほぼ同じ別の関節運動外科用器械５０２のための関節運動制御装置１８に用いられるように構成することができる。具体的には、側方関節運動制御装置５００は、側方運動を関節運動駆動管５０４により関節運動機構（図２４〜図２７には示さず）に伝達される回転運動に変換する。これを上述の関節運動制御装置１８に適合させるには、２つの側方運動表面相互間の一方向クラッチとして作用することを必然的に伴う場合がある。図２４〜図２７に戻ってこれらを参照すると、下方に突き出た歯車ラック５０６が、関節運動駆動管５０４の頂面に設けられている長手方向に整列した溝５１２と係合可能に側方制御アクチュエータ５１０の下側側部５０８に結合されている。
【００５５】
関節運動逆駆動ロックアウト５１６が有利には、側方関節運動制御装置５００内に組み込まれてエンドエフェクタ（図２４〜図２７には示さず）に加わる力が関節運動量を変更するのを阻止するようになっている。具体的には、関節運動制御アクチュエータ５１０と歯車ラック５０６との間には、ラックプレート５１８が設けられ、このラックプレートは、可撓性Ｘ字形ロック部材５２２を収容した中央開口部５２０を有している。関節運動制御アクチュエータ５１０は、ラックプレート５１８の中央開口部５２０内へ下方に突き出ていて、図２６および図２７に示す平面図に関し、Ｘ字形ロック部材５２２により定められる遠位四分円および近位四分円内にそれぞれ位置決めされる２つの偏向ブレード５２４，５２６を有している。歯車ラック５０６は、ラックプレート５１８の中央開口部５２０内へ上方に突き出ていて、Ｘ字形ロック部材５２２によって定められた左四分円５３６および右四分円５３８内にそれぞれ位置決めされた２つの駆動ブレード５３２，５３４を有している。ラックプレート５１８の中央開口部５２０は、形状が全体として矩形であるが、傾斜した歯５４０を備えたものとして示されており、各歯は、内方に向くと共に長手方向に整列した当接面５４２を備えている。これら傾斜歯５４０は、Ｘ字形ロック部材５２２の右遠位アーム５５０および左遠位アーム５５２にラチェット駆動的に接触するよう遠位縁部５４８の右部分５４４および左部分５４６に沿って配置されている。ロック歯５４０はまた、Ｘ字形ロック部材５２２の右近位アーム５６０および左近位アーム５６２にラチェット駆動的に接触するよう矩形窓５２０の近位縁部５５８の右部分５５４および左部分５５６に沿って配置されている。
【００５６】
特に図２５を参照すると、歯車ラック５１８は、ノブ５６４に取り付けられた状態で示されており、かくして、関節運動制御アクチュエータ５１０または歯車ラック５０６とは側方には並進しない。関節運動制御アクチュエータ５１０の側方運動は、ラックフレーム５１８の矩形窓５２０の中に形成された関節運動逆駆動ロックアウト５１６を介して伝達される。これとは対照的に、関節運動駆動管５０４およびそれ故に歯車ラック５０６の逆駆動側方運動は、関節運動逆駆動ロックアウト５１６により反応してラックフレーム５１８およびノブ５６０に伝わる。かくして、関節運動駆動管５０４の運動が阻止される。
【００５７】
使用にあたり、図２６に示すように、側方関節運動制御装置５００を心出しする。それにより、関節運動制御アクチュエータ５１０の等しく延びる右側端部５６６および左側端部５６８により視覚表示が臨床医に与えられる。偏向ブレード５２４，５２６は、Ｘ字形ロックアウト部材５２２の中心に置かれ、アーム５５０，５５２，５６０，５６２に力を加えず、それにより、これらアームは、これらの非圧縮状態に向かって伸長して傾斜歯５４０に当接し、Ｘ字形ロックアウト部材５２２の側方運動を阻止する。歯車ラック５０６の駆動ブレード５３２，５３４は、Ｘ字形ロックアウト部材５２２の各側で対向接触状態にある。駆動ブレード５３２，５３４を介して関節運動駆動管５０４から歯車ラック５０６に伝達された側方力は、Ｘ字形ロックアウト部材５２２を介して反応して歯車ラック５０６に伝えられ、運動を阻止する。
【００５８】
これとは対照的に、図２７に示すように、臨床医が関節運動制御アクチュエータ５１０を一方の側方側部に動かすと、偏向ブレード５２４，５２６は、１対の近位および遠位アーム（図２７では左側のアーム５５２，５６２）に接触し、この対を矩形窓５２０との接触状態から押し離す。かくして、Ｘ字形ロックアウト部材５２２は、アームの後続対（例えば、図２７では右側のアーム５５０，５６０）がラチェット駆動した状態でその方向に動くようになる。この側方運動は、先導アーム５５２，５６２が図示のように矩形窓５２０の側方広がりに出会うまで続くようになる。歯車ラック５０６の駆動ブレード５３２，５３４は、Ｘ字形ロックアウト部材５２２と共に動き、かくして最終的にはエンドエフェクタ（図２７には示さず）もまた、これに応答して関節運動する。
【００５９】
本発明を幾つかの実施形態の説明により例示し、図示の実施形態をかなり詳細に説明したが、添付の特許請求の範囲に記載された本発明の範囲をそのような細部に制限しまたはいかなる点においても限定することは、本出願人の意図ではない。追加の利点および改造は、当業者には明らかであろう。
【００６０】
例えば、単一流体移送方式を組み込んでもよく、この場合、単一流体アクチュエータが恐らくは取っ手に対して流体連通状態にはなくまたは空気圧連通状態にはない弾性対向部材により支援された状態で関節運動を起こすために拡張させたり圧縮させたりする。このような設計と一致した用途としては、例えばＴ−バーに取り付けられたちょうど１つのブラダが挙げられ、したがって、流体の抜き取りにより圧縮されると、このブラダがＴ−バーをこれと共に引っ張るようになっている。
【００６１】
〔実施の態様〕
本発明の具体的な実施態様は、次の通りである。
（１）外科用器械において、
患者の外部で操作するために構成された近位部分と、
前記近位部分に取り付けられた細長いシャフトと、
エンドエフェクタと、
前記エンドエフェクタを前記細長いシャフトに旋回可能に取り付ける関節運動継手と、
前記エンドエフェクタに取り付けられていて、前記関節運動継手の関節運動軸線周りに近位側へ放射状に広がる弓形ブレーキ面と、
前記近位部分に取り付けられた関節運動制御装置と、
前記細長いシャフトから遠位端部を延長させて前記エンドエフェクタに係合させる関節運動部材であって、前記遠位端部は、前記関節運動制御装置に応答して側方に偏向して関節運動を行う、関節運動部材と、
前記細長いシャフトにより案内されるロックアクチュエータであって、近位側が関節運動制御装置に結合され、遠位側がロック面に選択的に係合するよう位置決めされたロック面で終端する、ロックアクチュエータと、
を有する、外科用器械。
（２）実施態様（１）記載の外科用器械において、
前記関節運動制御装置は、側方制御装置を含み、該側方制御装置は、前記側方制御装置の運動中、前記ロックアクチュエータを近位側へ押して前記エンドエフェクタとの係合状態から離脱させるよう作動的に構成されている、外科用器械。
（３）実施態様（２）記載の外科用器械において、
前記ロック部材は、遠位側へ付勢され、係合面は、近位ピンを有し、側方歯車セグメントは、歯付き面を有し、該歯付き面は、作動中、前記ピンを近位側へカム作用で動かし、前記関節運動制御装置が停止したとき、前記近位ピンが前記歯付き面の対応の歯の根元部内に遠位側へ動くことができる、外科用器械。
（４）実施態様（２）記載の外科用器械において、
前記側方制御装置は、差動流体制御装置を含む、外科用器械。
（５）実施態様（１）記載の外科用器械において、
前記細長いシャフト内に側方運動をするために拘束されたスライドバーと、
前記関節運動継手内に位置決めされた前記スライドバーの遠位端部と、
前記関節運動部材の前記遠位端部に係合していて、前記スライドバーの側方運動を前記エンドエフェクタの旋回運動に変換する前記エンドエフェクタの近位面と、
を更に有する、外科用器械。
（６）実施態様（１）記載の外科用器械において、
前記細長いシャフトは、回転運動を前記関節運動継手に伝達して前記エンドエフェクタの旋回関節運動を行わせる関節運動駆動管を更に有し、前記ロックアクチュエータは、前記関節運動駆動管と前記関節運動制御装置との間に介在して設けられた逆駆動ロックアウト機構を有する、外科用器械。
（７）実施態様（６）記載の外科用器械において、
前記逆駆動ロックアウト機構は、
窓を備えたフレームと、
前記フレームの前記窓によって定位置に側方にロックされ、前記側方歯車ラックに結合されたロックアウト部材と、
前記関節運動制御装置に結合されると共に、前記ロックアウト部材を離脱させたり前記ロックアウト部材を側方に位置決めしたりするよう位置決めされた偏向部材と、
を有する、外科用器械。
（８）実施態様（６）記載の外科用器械において、
前記関節運動駆動管は、前記スライドバーに平行に整列すると共に前記細長いシャフトの垂直中心線と整列した回転可能なリンクを有し、該回転可能なリンクは、前記スライドバーの近くの表面に旋回可能に結合され、それにより前記回転可能なリンクが回転すると、前記スライドバーの側方運動を生じさせる、外科用器械。
（９）実施態様（８）記載の外科用器械において、
前記回転可能なリンクは、作動中、前記整列を維持するために、前記スライドバーの長手方向長さに沿って間隔をあけて前記スライドバーに接合された複数の旋回接合部を含む、外科用器械。
【００６２】
（１０）外科用器械において、
患者の外部で操作するために構成された近位部分と、
前記近位部分に取り付けられた細長いシャフトと、
エンドエフェクタと、
前記エンドエフェクタを前記細長いシャフトに旋回可能に取り付ける関節運動継手と、
近位側へ差し向けられていて、前記関節運動継手の関節運動軸線周りを回転するよう整列した前記エンドエフェクタに取り付けられた歯車セグメントと、
前記細長いシャフト内に側方運動をするために拘束されたスライドバーと、
前記関節運動継手内に位置決めされた前記スライドバーに取り付けられていて、前記エンドエフェクタの前記歯車セグメントと噛み合い状態にある遠位側へ向けられたラックと、
関節運動部材の遠位端部に係合していて、前記スライドバーの側方運動を前記エンドエフェクタの旋回運動に変換する前記エンドエフェクタの近位面と、
前記細長いシャフト内に設けられていて、前記エンドエフェクタの前記歯車セグメントに係合するよう選択的に遠位側および長手方向に並進して関節運動継手をロックするロック部材と、
を有する、外科用器械。
（１１）実施態様（１０）記載の外科用器械において、
前記ロック部材は、遠位側へ付勢され、かつ近位ピンを有し、前記関節運動制御装置は、歯付き面を有し、該歯付き面は、作動中、前記ピンを近位側へカム作用で動かし、前記関節運動制御装置が停止したとき、前記近位ピンが前記歯付き面の対応の歯の根元部内に遠位側へ動くことができるように配置されている、外科用器械。
（１２）実施態様（１０）記載の外科用器械において、
前記スライドバーの互いに反対側の側部に位置決めされた差動関節運動アクチュエータを更に有する、外科用器械。
（１３）実施態様（１２）記載の外科用器械において、
前記関節運動アクチュエータは、流体アクチュエータを含む、外科用器械。
（１４）実施態様（１２）記載の外科用器械であって、前記関節運動アクチュエータは、電磁アクチュエータを含む、外科用器械。
（１５）実施態様（１２）記載の外科用器械において、
前記関節運動アクチュエータは、長手方向に並進するカム作用アクチュエータを含む、外科用器械。
（１６）実施態様（１２）記載の外科用器械において、
前記関節運動アクチュエータは、位置決め可能な近位端部を備えた座屈部材を有する、外科用器械。
【００６３】
（１７）外科用器械において、
患者の外部で操作するために構成された近位部分と、
前記近位部分に取り付けられた細長いシャフトと、
エンドエフェクタと、
前記エンドエフェクタを前記細長いシャフトに旋回可能に取り付ける関節運動継手と、
前記細長いシャフト内に側方運動をするために受け入れられたスライドバーであって、該スライドバーは、前記エンドエフェクタを前記関節運動継手回りに旋回させるよう係合した遠位端部、および、前記エンドエフェクタに加わる逆駆動力に応答して前記細長いシャフトにつかえた状態（binding）で係合するよう動くロック機構を有する、スライドバーと、
を有する、外科用器械。
（１８）実施態様（１７）記載の外科用器械において、
前記エンドエフェクタに取り付けられた歯車セグメントを更に有し、前記スライドバーは、前記歯車セグメントと噛み合った遠位側に取り付けられているラックを更に有する、外科用器械。
（１９）実施態様（１７）記載の外科用器械において、
前記ロック機構は、前記細長いシャフトに側方に形成されたチャネルと、前記スライドバーに垂直に取り付けられると共に前記チャネル内に受け入れられたリブとを有し、前記スライドバーは、前記リブを前記スライドバーの前記遠位端部に連結する可撓性長手方向部分を更に有し、前記エンドエフェクタの逆駆動により、前記長手方向部分が曲がり、それにより前記リブが前記チャネル内につかえた状態で係合するよう起こす、外科用器械。
（２０）実施態様（１７）記載の外科用器械において、
前記ロック機構は、前記細長いシャフトに取り付けられた側方係合面の近位側に側方に並進する係合歯を有し、前記外科用器械は、前記スライドバーおよび前記係合歯を押圧して前記エンドエフェクタが逆駆動されるまで前記側方係合面との係合状態から遠位側へ離脱させる付勢部材を更に有する、外科用器械。
【図面の簡単な説明】
【００６４】
【図１】開放したエンドエフェクタまたはステープル留め組立体を備え、ステープルカートリッジが取り出された状態で示された外科用ステープル留め兼用切断器械の前かつ上から見た斜視図である。
【図２】関節運動機構が流体作動制御装置によって作動した図１の外科用ステープル留め兼用切断器械の前かつ上から見た斜視図である。
【図３】図１の外科用ステープル留め兼用切断器械の細長いシャフトおよび関節運動機構の分解斜視図である。
【図４】ステープル留め組立体および関節運動機構を含む図１の外科用ステープル留め兼用切断器械の作業部分の遠位部分の分解斜視図である。
【図５】発火運動により駆動された部品を露出させるようステープルカートリッジの横半分が取り除かれた状態の図１および図４のステープル留め組立体の上から見た斜視図である。
【図６】流体関節運動機構により関節運動させられた単一のピボットフレームグラウンドを露出させるよう二重ピボットクロージャスリーブ組立体とエンドエフェクタが取り除かれた状態の図１の外科用器械の作業部分の前から見た斜視図である。
【図７】単一ピボットフレームグラウンドを備えた二重旋回クロージャスリーブ組立体を近位位置で示す図１の外科用器械の別の関節運動継手の詳細斜視図である。
【図８】二重旋回固定壁ドッグボーン形リンクおよび側方運動部材（Ｔ−バー）のためのレールガイドを組み込んだフレームグラウンドを有する図７の別の関節運動継手の右下から見た分解組立て斜視図である。
【図９】発火バーを支持するよう下側二重ピボットリンク内に組み込まれた別の中実壁支持板機構およびレール案内式側方運動部材（Ｔ−バー）を有する図１の外科用器械用の更に別の関節運動継手の左上から見た分解組立て斜視図である。
【図１０】自動関節運動ロック係合および解除のための後方加重離脱式Ｔ−バーを露出させるようクロージャスリーブ組立体が取り除かれた図１の外科用器械用の別の関節運動ロック機構の概略平面図である。
【図１１】図１の外科用器械用の更に別の関節運動機構の概略平面図であり、ばねが、エンドエフェクタからの後方加重に起因して係合するロック特徴部を備えたＴ−バーのラックを付勢している状態を示す図である。
【図１２】図１の外科用器械用の側方誘導装置を組み込んだ別のＴ−バーおよびフレームグラウンドを示す図である。
【図１３】図１の外科用器械用の側方誘導装置を組み込んだ更に別のＴ−バーおよびフレームグラウンドを示す図である。
【図１４】図１の外科用器械用の二重旋回フレーム組立体および単一旋回クロージャスリーブ組立体を有する別の関節運動機構の左上から見た分解斜視図である。
【図１５】図１４の別の関節運動機構の左下から見た斜視図である。
【図１６】ラックおよび歯車セグメントの旋回が非関節運動状態で示された側方動作式流体関節運動機構の略図である。
【図１７】図１６の流体関節運動機構の１７−１７線断面正面図である。
【図１８】ラックおよび歯車セグメントの旋回が関節運動状態で示された側方動作式流体関節運動機構の略図である。
【図１９】図１８の流体関節運動機構の１９−１９線断面正面図である。
【図２０】スライドバーを側方にカム駆動し、それによりエンドエフェクタを関節運動させる少なくとも１つの長手方向に運動する部材によって関節運動された外科用器械の概略平面図である。
【図２１】関節運動状態にある図２０の外科用器械の概略平面図である。
【図２２】Ｔ−バーまたはスライドバーをそれぞれ側方に並進させる図１６または図２０の外科用器械用の別の回転リンク機械式制御システムを非関節運動状態で示した断面正面図である。
【図２３】関節運動状態にある図２２の別の回転リンク機械式制御システムの断面正面図である。
【図２４】図２２の別の回転リンク機械的制御システム用の別の側方関節運動制御機構の分解組立て斜視図である。
【図２５】図２４の側方関節運動制御機構の断面正面図である。
【図２６】ロックブロックを図２４の側方関節運動制御機構の係合状態で示す詳細図である。
【図２７】図２４の側方関節運動制御機構を離脱状態で示す詳細図である。
【符号の説明】
【００６５】
１０  外科用ステープル留め兼用切断器械
１２  作業部分
１４，２３０，３００，４００，２００２  関節運動機構
１６  細長いシャフト
１８  関節運動制御装置
２０  ステープル留め組立体またはエンドエフェクタ
２２  取っ手部分
２４  ピストル型握り
２６  クロージャトリガ
２８  発火トリガ
３０  クロージャ解除ボタン
４６  クロージャスリーブ組立体
４４  フレーム組立体
８０  関節運動アクチュエータ
９４  流体関節運動システム
１１６  関節クロージャ管
１７８  交換可能なステープルカートリッジ
２００  関節運動ロック機構
１８０１  関節運動継手
１９００，２００４  外科用器械
２００６  側方スライド部材
２００９，２０１２  案内機構
２０１６  エンドエフェクタ
【図１】
2007038003.tif 000003
【図２】
2007038003.tif 000004
【図３】
2007038003.tif 000005
【図４】
2007038003.tif 000006
【図５】
2007038003.tif 000007
【図６】
2007038003.tif 000008
【図７】
2007038003.tif 000009
【図８】
2007038003.tif 000010
【図９】
2007038003.tif 000011
【図１０】
2007038003.tif 000012
【図１１】
2007038003.tif 000013
【図１２】
2007038003.tif 000014
【図１３】
2007038003.tif 000015
【図１４】
2007038003.tif 000016
【図１５】
2007038003.tif 000017
【図１６】
2007038003.tif 000018
【図１７】
2007038003.tif 000019
【図１８】
2007038003.tif 000020
【図１９】
2007038003.tif 000021
【図２０】
2007038003.tif 000022
【図２１】
2007038003.tif 000023
【図２２】
2007038003.tif 000024
【図２３】
2007038003.tif 000025
【図２４】
2007038003.tif 000026
【図２５】
2007038003.tif 000027
【図２６】
2007038003.tif 000028
【図２７】
2007038003.tif 000029
【外国語明細書】
2007038003000001.pdf